(57)【特許請求の範囲】
【請求項１】
遮水シート接合部における遮水シート同士の重ね合わせ間で、しかも接合部長手方向に通気性をもった伸縮可能な中空紐を介在し、この中空紐を所定長の区画に区分して区画毎に中空紐内を減圧し、減圧後の中空紐内の圧力の変動を検知することにより、遮水シート接合部の欠陥の有無を検査し、次いで欠陥を有する区画において、中空紐内を加圧して欠陥個所を特定することを特徴とする遮水シート接合部の欠陥検査方法。
【請求項２】
中空紐が、遮水シート接合部における遮水シート同士の重ね合わせ間に２つの接合層を間隔を開けて接合部長手方向に並列に設置介在させることによって形成された通路内に設置された請求項１記載の遮水シート接合部の欠陥検査方法。
【請求項３】
中空紐内を減圧し、圧力の変動のあることを確認した後、中空紐内を加圧し、接合部の膨れ状態の異常を目視で確認することによって、欠陥箇所を特定する請求項１〜２記載の遮水シート接合部の欠陥検査方法。
【請求項４】
中空紐内を減圧し、圧力の変動のあることを確認した後、接合部に石鹸水を塗布して中空紐内を加圧し、泡の発生を目視で確認することによって欠陥箇所を特定する請求項１、２、または３記載の遮水シート接合部の欠陥検査方法。
【発明の詳細な説明】
【０００１】
【発明の属する技術分野】
本発明は遮水シートの欠陥検査方法に係わり、詳しくは接合部に荷重がかかっても検査のための通路を遮断することがなく、正確に接合部の欠陥部分を判断できる検査方法に関する。
【０００２】
【従来の技術】
産業廃棄物や一般廃棄物を貯めておく埋め立て型の廃棄物処分場では、処分場から漏出する汚水が地下に浸透して環境汚染を引き起こす危険性があり、これを防止するために、処分場の底面に遮水工を施すことが義務づけられている。この遮水工として様々なものが挙げられるが、一般に確実性、安全性、施工性、そして経済性の面から樹脂性のシートやゴム製の遮水シートを敷設する方法がしばしば採用されている。
【０００３】
貯水池、溜め池、プール等の凹所に貯水する施設の底面には、漏水を防止するために、廃棄物処分場と同様に遮水シートが敷設される。更に、地中構造物などにおいては、地下水が構造物の内部に漏水するのを防止するために、構造物を覆って遮水シートが敷設される場合がある。
そして、これらの遮水シートは広大な面積を有する廃棄物処分場や貯水池などの貯水施設の底面や構造物の周囲を一枚の遮水シートによって一度に覆うことは施工上困難なため、複数の遮水シートを用いて現場で接合一体化することにより、廃棄物処分場や貯水施設、地下構造物の周囲全域を覆うという工事が行われている。
【０００４】
しかし、このような遮水シートを現場で接合する方法では、現場で接合した接合部分に接合不良を生じる場合があり、この接合不良による欠陥箇所から汚水や貯水が漏出するという問題があった。
従来、遮水シートの接合部の適正検査は抜き取り試験により接合部の接着力試験を行うか、また施工現場において遮水シート接合部の未着部分に空気を圧入し、一定時間、一定圧を保持したのち、圧力の現象がなければ空気の流出が起こらなかったとして、評価されていた。しかし、この方法は塩化ビニル等の合成樹脂製遮水シートにおいて適している反面、ゴム等の弾性に富むシートにおいては接合部分が粘着な状態であること、また比較的低モジュラスであるため、欠陥が生じていなくても圧力の減少が認められることがあり、欠陥部分が正確に判断しにくいという問題があった。
【０００５】
また、他の方法として超音波検査機を接合部に当接させて、欠陥部を検出する方法があるが、この方法においても融着による接合が行われている樹脂シートには適当であるが、異質の接着剤層が介在しているゴムシートの場合には適用できないという問題があった。
更に、本出願人はこれらの問題を改善するために、特公平７−３７０７２号公報に開示しているように、予めつくられた遮水シート接合部の未着部分に煙送風機を具備した針部を挿入し、該針部の貫通孔から煙を送り込んだのち、該煙の上記シートの外部への流出箇所を観察する方法を提案した。
【０００６】
【発明が解決しようとする課題】
しかし、狭い通路に空気や煙などの気体を送り込む方法の場合、その圧力は遮水シートの接合部が剥がれる方向の力となるため、圧力を上げすぎると接合部が剥がれる恐れがあるので、圧力の大きさには制限があった。圧力に制限があるということは、一度の作業で検査できる接合部の長さに制限があるということにつながり、作業の効率の面ではある一定の限界以上に良くすることはできなかった。また、接合部が遮水シートの自重や施工の際の人の歩行で押さえつけられ、検査のための通路を遮断してしまうという問題もあった。
【０００７】
そこで、本発明は一度の作業で検査できる長さがより長く、またたとえ接合部に荷重がかかっても検査のための通路を遮断することがなく、正確に接合部の欠陥部分を判断できる遮水シート接合部の欠陥検査方法の提供を目的とする。
【０００８】
【課題を解決するための手段】
このような目的を達成するために本願の請求項１記載の発明では、遮水シート接合部における遮水シート同士の重ね合わせ間で、しかも接合部長手方向に通気性をもった伸縮可能な中空紐を介在し、この中空紐を所定長の区画に区分して区画毎に中空紐内を減圧し、減圧後の中空紐内の圧力の変動を検知することにより、遮水シート接合部の欠陥の有無を検査し、次いで欠陥を有する区画において、中空紐内を加圧して欠陥個所を特定する遮水シート接合部の欠陥検査方法にあり、上記の中空紐を使用しているために接合部に荷重がかかっても検査通路の遮断がなく、また中空紐が伸縮性を有しているため下地地盤の動きと接合部の動きに十分追従できるため、切断することなく、欠陥検査も確実に行うことができる。
更に、通路内を加圧する方法と比べると接合部の剥がれの恐れがなく、大きな圧力差をもって減圧することができるので、所定圧まで減圧する時間が短くなると共に一度に検査する接合部の長さをより長くすることができ、検査作業の効率を向上することができる。
【０００９】
本願の請求項２記載の発明では、中空紐が遮水シート接合部における遮水シート同士の重ね合わせ間に２つの接合層を間隔をあけて接合部長手方向に並列に設置介在させることによって形成された通路内に設置された遮水シート接合部の欠陥検査方法にある。
【００１０】
本願の請求項３記載の発明では、中空紐内を減圧し、圧力の変動のあることを確認した後、中空紐内を加圧し、接合部の膨れ状態の異常を目視で確認することによって、欠陥箇所を特定する中空紐が遮水シート接合部における遮水シート同士の重ね合わせ間に２つの接合層を間隔をあけて接合部長手方向に並列に設置介在させることによって気密性を確保した通路内にあってその長手方向に設置されている遮水シート接合部の欠陥検査方法にあり、通路内を減圧し、圧力の変動のあることを確認した後、通路内を加圧し、接合部の膨れ状態の異常を目視で確認することによって、欠陥箇所を特定することができる。
【００１１】
本願の請求項４記載の発明では、中空紐内を減圧し、圧力の変動のあることを確認した後、接合部に石鹸水を塗布して中空紐内を加圧し、泡の発生を目視で確認することによって欠陥箇所を特定する遮水シート接合部の欠陥検査方法にあり、欠陥箇所を有する区画の特定と区画内の欠陥箇所の特定をそれぞれの状況にあった効率のよい方法を採用していると言え、総合的に早く簡単に欠陥箇所の検査を終えることができる。
【００１２】
【発明の実施の形態】
以下、更に本発明の具体的な実施態様を添付図面に従って説明する。
図１は本発明の欠陥検査方法に使用する遮水シート接合部の断面図である。
ここで接合部１では、上側遮水シート２の端部と下側遮水シート３の端部を重ね合わせ、その重ね合わせ間に厚みに等しい２つの接合層５、６を間隔を持って配置介在し、上下側の遮水シート２、３と２つの接合層５、６に囲まれた空間を気密性を有する通路４に形成している。得られた接合部の表面はわずかな段差部７を有している。
そして、この通路４内には、通気性をもった伸縮可能な中空紐８が自由動可能に介在し、接合部１に荷重がかかっても検査のための通路４を遮断することがなくなり、また下地の移動により接合部１が伸張しても中空紐８もこれに追従するために切断することがなく、確実に検査することができる。
【００１３】
図２は本発明の欠陥検査方法に使用する他の遮水シート接合部の断面図であり、この接合部１では、上側遮水シート２の端部と下側遮水シート３の端部を重ね合わせ、その重ね合わせ間に厚さの相違する２つの接合層５、６を間隔を持って配置介在し、上下側の遮水シート２、３と２つの接合層５、６に囲まれた空間を図１に示される空間より容積の小さくなった気密性の通路４にしている。容積の小さくなった通路４を減圧する場合、その時間は短縮できる。
そして、この通路４内には、通気性をもった伸縮可能な中空紐８が自由動可能に介在している。
【００１４】
相違する２つの接合層５、６は、前述のとおりであるが、厚みの小さい接合層５は接着剤や熱融着により接合してもよい。
【００１５】
図３は本発明の欠陥検査方法に使用する更に他の遮水シート接合部の断面図であり、上側遮水シート２の端部と下側遮水シート３の端部を重ね合わせた接合部１間に、厚さの相違する２つの接合層５、６を間隔を持って配置している。
厚さの小さい接合層５は塗布した接着剤のみからなり、一方厚さの大きい接合層６は接着剤の間にポリエチレン、ポリアミド、ポリエステル、塩化ビニル等の合成樹脂フィルムからなるシール材６ａを介在し、容積を小さくした気密性の通路４を形成している。上記シール材６ａは接合剤でなく接合部１間に所定空間をもつ通路４を形成させるものであり、シール材６ａの厚みを変えることにより通路４の容積を調節することができる。
そして、この通路４内には、同様に通気性をもった伸縮可能な中空紐８が自由動可能に介在している。
【００１６】
また、図４に示す実施例では、通気性をもった伸縮可能な中空紐８が通路４内を完全に充満した状態で埋設し、位置固定されている。
【００１７】
上記中空紐８は、ナイロン繊維、ポリプロピレン繊維、ポリエステル繊維、金属繊維を素材とした直径１〜４ｍｍの中空状編み物であり、長手方向に収縮できる特性があり、下地の挙動に追従できる。この中空紐８の引張弾性率は０．１〜１ｋｇｆの範囲が下地の動きに追従するうえで好ましい。
【００１８】
前述の接合層５と６に用いる素材は特に限定するものではなく、例えば遮水シートが加硫ゴムシートの場合には環境温度によって加硫する自然加硫型ゴムテープ、合成樹脂フィルムが使用され、遮水シートが熱可塑性樹脂、熱可塑性エラストマー等の場合には熱融着により接合しても構わない。また、液状の接着剤としては、自然加硫型、２液混合タイプ、ブチルゴム系接着剤が使用される。
特に、本発明においては遮水シートを現場で接合する場合に作業性が改善され、かつ充分な接合力を有する自然加硫型ゴムテープを用いるのが好ましい。このテープの厚さは０．５〜３．０ｍｍで幅７０〜２００ｍｍの広いものと、１０〜７０ｍｍの狭い２種類のテープを用いる。
【００１９】
ここで使用する遮水シート２、３としては、例えばエチレン・プロピレン・ターポリマー（ＥＰＴ）、ブチルゴム、あるいはＥＰＴとＩＩＲのブレンド物からなる加硫ゴム、塩化ビニル、酢酸ビニル等の熱可塑性樹脂、熱可塑性エラストマー、もしくはゴム化アスファルト等からなる。
【００２０】
本発明方法で用いられる真空ポンプ９の例としては、図５に示すようなものであり、手動または電動のポンプ本体１０を作動させて接合部の区画にホースや金属製の中空棒や針などからなる挿入管１１を漏れが起こらないようにシールして挿入する。挿入する位置は接合部１の区画の端部であってもよく、また挿入管１１が針の場合には途中の任意の位置であってもよい。ポンプ本体１０と挿入管１１の間はホース１２で連結されており、中間位置に圧力ゲージ１３を配置している。
【００２１】
以上のような構成で設けた接合部１は、接合部の欠陥箇所を検査すべく使用される。すなわち、かかる検査方法を行うにはまず接合部の延長方向に沿って、接合部を所定長、例えば数ｍ〜数１０ｍ程度が一つの区画に区分され、両端部は気密性を持たせるために接合層５と接合層６のあいだに不定形シール材１４を充填したり、図示はしないがグリッププライヤーなどを用いて挟み込んた状態となっている。その区画の端部において、図６に示すように、減圧するための真空ポンプ９の挿入管１１を中空紐８に挿入する。
【００２２】
そして、真空ポンプ９で中空紐８内を吸引し、減圧状態にする。その後減圧状態で所定時間経過後、圧力ゲージ１３を読み取り、圧力に変化が生じていると、その区画のどこかに接合欠陥箇所があることがわかる。
【００２３】
気密性を有する幅及び高さは前記の接合層５、６の配置及び厚みで決定されるが、接合層５、６の厚みを０．５〜３．０ｍｍとしたのは、０．５ｍｍ未満であると接合強度が不十分であり、３．０ｍｍより大きくすると接合層５、６を介在した接合部１の段差が大きくなってしまうので好ましくないからである。
【００２４】
減圧は１０〜６０ｃｍＨｇの範囲内とする。１０ｃｍＨｇよりも小さい値にすると、大気圧との圧力差が小さいので、接合部１に欠陥があっても圧力の変化が検知しにくくなり、６０ｃｍＨｇよりも大きな値にすると接合部１において必要以上に遮水シート２、３が伸ばされるので好ましくない。
【００２５】
このように、接合部１に設けた中空紐８内を減圧することによって接合部の欠陥箇所を検査する方法を採れば、従来、接合部の剥がれを恐れて圧力を上げれないために、一つの検査区画が最長でも１５ｍ程度が限界であったのを１００ｍ以上まで長くすることが可能になるので、検査の効率を上げることができる。
欠陥箇所のある区画を特定することができたら、次にその区画のどの部分に欠陥箇所があるかを調べる工程に進む。
【００２６】
欠陥箇所を特定することができる一つの方法としては、欠陥箇所を含む区画内の接合部１の通路４内を、通路４が外から見て膨らむぐらいに加圧する。そして、接合部１の状態を観察し、図７に示すような本来接着しているはずのところが膨らんでいる異常箇所１５を発見すればその箇所が欠陥箇所であることがわかる。
【００２７】
もう一つの方法としては、欠陥箇所を含む区画内の接合部１全域に石鹸水を塗布し、通路４内を加圧する。そして、接合部１の状態を観察し、石鹸水の泡発生を箇所を発見すれば、その箇所が欠陥箇所であることがわかる。通路４内を加圧するために、加圧用のポンプを用いる必要があるが、前記の真空ポンプを加圧用のポンプに取り替えて使用してもよいし、元々減圧と加圧とを切り替えることのできるポンプを用いてもよい。
【００２８】
【実施例】
次に本発明の検査方法の具体例を説明する。
厚さ１．５ｍｍのＥＰＴを主成分とする遮水シートの接合部（幅１５０ｍｍ）に、厚さ１．０〜１．５ｍｍ、幅１００ｍｍの自然加硫タイプの粘着テープと、同じ厚みで幅５０ｍｍの自然加硫タイプの粘着テープとを幅２０ｍｍの間隔をおいて設置し、そしてポリプロピレン繊維からなる直径約２．０ｍｍの中空紐を幅の広い粘着テープの端面に近接する状態で介在して空間上の通路を形成した。
【００２９】
そして、接合部をローラにより転圧（線圧０．５ｋｇ／ｃｍ）で圧着して長さ１５ｍの接合部を得た。通路の長さ方向の両端は不定形シール材によってシールし、同時にシートの外部と通路とが連通するように欠陥部をあえて設けた。該接合部を減圧した後に加圧する方法によって欠陥部を特定する検査を行った。
【００３０】
減圧及び加圧をするポンプの挿入管を、接合部の中空紐の端部に取り付け、欠陥部はその端部から１３ｍ離れた箇所に設けている。減圧、加圧ともに圧力を変えて行った。
【００３１】
この結果、圧力を上昇しすぎると接合部が剥がれてしまうので、０．０１ｋｇ／ｃｍ2 程度までしか加圧することができないため、接合部の全長を均一な圧力にするまでの時間がかかり、減圧する方法に比べると検査時間が著しく長くなってしまう。
また、減圧の場合にも１０ｃｍＨｇより小さくすると、大気圧との圧力差が小さく接合部に欠陥があっても圧力の変化が検知しにくくなる。そして、減圧を６０ｃｍＨｇより大きくすると、接合部において遮水シートが必要以上に伸ばされるので好ましくない。
【００３２】
【発明の効果】
以上のように本願の請求項１〜２記載の発明では、遮水シート接合部における遮水シート同士の重ね合わせ間で、しかも接合部長手方向に通気性をもった伸縮可能な中空紐を介在し、この中空紐を所定長の区画に区分して区画毎に中空紐内を減圧し、減圧後の中空紐内の圧力の変動を検知することにより、遮水シート接合部の欠陥の有無を検査し、次いで欠陥を有する区画において、中空紐内を加圧して欠陥個所を特定する方法であり、上記の中空紐を使用しているために接合部に荷重がかかっても検査通路の遮断がなく、また中空紐が伸縮性を有しているため下地地盤の動きと接合部の動きに充分追従できるため、切断することがなく、欠陥検査も確実に行うことができる。
更に、通路内を加圧する方法と比べると接合部の剥がれの恐れがなく、大きな圧力差をもって減圧することができるので、所定圧まで減圧する時間が短くなると共に一度に検査する接合部の長さをより長くすることができ、検査作業の効率を向上することができる。
【００３３】
本願の請求項３記載の発明では、中空紐内を減圧し、圧力の変動のあることを確認した後、中空紐内を加圧し、接合部の膨れ状態の異常を目視で確認することによって、欠陥箇所を特定する中空紐が遮水シート接合部における遮水シート同士の重ね合わせ間に２つの接合層を間隔をあけて接合部長手方向に並列に設置介在させることによって気密性を確保した通路内にあってその長手方向に設置されている遮水シート接合部の欠陥検査方法にあり、通路内を減圧し、圧力の変動のあることを確認した後、通路内を加圧し、接合部の膨れ状態の異常を目視で確認することによって、欠陥箇所を特定することができる。
【００３４】
本願の請求項４記載の発明では、中空紐内を減圧し、圧力の変動のあることを確認した後、接合部に石鹸水を塗布して中空紐内を加圧し、泡の発生を目視で確認することによって、欠陥箇所を特定する遮水シート接合部の欠陥検査方法にあり、欠陥箇所を有する区画の特定と区画内の欠陥箇所の特定をそれぞれの状況にあった効率のよい方法を採用していると言え、総合的に早く簡単に欠陥箇所の検査を終えることができる。
【図面の簡単な説明】
【図１】本発明の欠陥検査方法に使用する遮水シート接合部の断面図である。
【図２】本発明の欠陥検査方法に使用する他の遮水シート接合部の断面図である。
【図３】本発明の欠陥検査方法に使用する更に他の遮水シート接合部の断面図である。
【図４】本発明の欠陥検査方法に使用する更に他の遮水シート接合部の断面図である。
【図５】気密性を有する通路の減圧に用いるポンプ斜視図である。
【図６】本発明の検査方法を実施している様子を示す平面図である。
【図７】遮水シート接合部の異常箇所を示す断面斜視図である。
【符号の説明】
１    接合部
２    遮水シート
３    遮水シート
４    通路
５    接合層
６    接合層
６ａ  シール材
８    中空紐
９    真空ポンプ
１０    ポンプ本体
１１    挿入管
１２    ホース
１３    圧力ゲージ
１４    不定形シール材
１５    欠陥箇所
【図１】
0003910256.tif 000002
【図２】
0003910256.tif 000003
【図３】
0003910256.tif 000004
【図４】
0003910256.tif 000005
【図５】
0003910256.tif 000006
【図６】
0003910256.tif 000007
【図７】
0003910256.tif 000008